(57)【要約】画面を指によってタッチすることで操作する電子機器において動画を再生するユーザーに優れたインタフェースを提供する。画面（２０）を指（９０）によってタッチすることで操作する電子機器（１０）においてユーザーインタフェースを提供する方法であって、画面において動画を再生するステップと、動画を再生している領域（２２）におけるユーザーのタッチを検出するステップと、タッチの検出に応答して、動画を引き続き再生させながら、動画上のタッチの位置の周囲に、それぞれ動作が関連づけられた複数のフリック補助表示（６０〜６３）を新規に表示するステップと、動画を引き続き再生させながら、フリック補助表示に対応するフリック操作の完了を検出するステップと、フリック補助表示に関連づけられた動作を実行するステップとを有する。図２
2016092864.tif 000002
【特許請求の範囲】
【請求項１】
画面を指によってタッチすることで操作する電子機器においてユーザーインタフェースを提供する方法であって、画面において動画を再生するステップと、動画を再生している領域におけるユーザーのタッチを検出するステップと、前記タッチの検出に応答して、前記動画を引き続き再生させながら、前記動画上の前記タッチの位置の周囲に、それぞれ動作が関連づけられた複数のフリック補助表示を新規に表示するステップと、前記動画を引き続き再生させながら、前記フリック補助表示に対応するフリック操作の完了を検出するステップと、前記フリック補助表示に関連づけられた動作を実行するステップとを有することを特徴とする方法。
【請求項２】
前記タッチの検出に応答して、動画の再生速度を変化させることを特徴とする請求項１に記載の方法。
【請求項３】
画面を指によってタッチすることで操作する電子機器においてユーザーインタフェースを提供する方法であって、画面において動画を再生するステップと、動画を再生している領域におけるユーザーのタッチを検出するステップと、前記タッチの検出に応答して、前記動画を停止させて、前記動画上の前記タッチの位置の周囲に、それぞれ動作が関連づけられた複数のフリック補助表示を新規に表示するステップと、前記動画を引き続き停止させながら、前記フリック補助表示に対応するフリック操作の完了を検出するステップと、前記フリック補助表示に関連づけられた動作を実行するステップとを有することを特徴とする方法。
【請求項４】
前記タッチの検出に応答して、動画を表示している領域の明るさを変更することを特徴とする請求項１又は２に記載の方法。
【請求項５】
前記フリック補助表示に関連づけられた動作には、再生を停止させる動作、動画の再生位置を選択する動作、次の動画の再生に移る動作、前の動画の再生に移る動作、及び動画の先頭に移る動作からなる群から選択される再生関連動作が含まれることを特徴とする請求項１又は２に記載の方法。
【請求項６】
前記フリック補助表示に関連づけられた動作には、再生の早送りをさせる動作及び再生の巻き戻しをさせる動作からなる群から選択される再生関連動作が含まれ、その早送り又は巻き戻しは、前記フリック操作の後に画面をタッチする時間だけ行われ、その早送り又は巻き戻し中は、その時点の早送り又は巻き戻しに対応した動画が画面に表示されることを特徴とする請求項１又は２に記載の方法。
【請求項７】
前記フリック補助表示に関連づけられた動作には、再生中の動画を保存又は登録する動作が含まれることを特徴とする請求項１又は２に記載の方法。
【請求項８】
前記フリック補助表示に関連づけられた動作には、特定のアドレスへとアクセスする動作、動画に関連づけられたアドレスをコピーする動作、及び動画に関連づけられたアドレスを使用して特定のプログラムの特定の機能を実行させる動作からなる群から選択されるアドレス関連動作が含まれる
ことを特徴とする請求項１又は２に記載の方法。
【請求項９】
前記フリック補助表示には、再生中の動画に関連する別の動画の代表画像が表示され、前記フリック補助表示に関連づけられた動作には、前記代表動画に対応する別の動画を再生する動作が含まれることを特徴とする請求項１又は２に記載の方法。
【請求項１０】
前記フリック補助表示に関連づけられた動作には、フリック操作の所定の段階における動画のスクリーンショット画像を取得する動作が含まれることを特徴とする請求項１又は２に記載の方法。
【請求項１１】
前記フリック補助表示に関連づけられた動作には、検出した画面上でのユーザーのムーブ動作に応じた動画の再生位置の選択を受け付ける動作が含まれ、当該方法は、その後に、受け付けた再生位置から動画を再生するステップをさらに有することを特徴とする請求項１又は２に記載の方法。
【請求項１２】
前記フリック補助表示に関連づけられた動作は、更なる補助表示を表示する動作であり、前記フリック操作の完了によって、この更なる補助表示を表示する動作が実行されると、画面上に新たに複数の第２の補助表示を表示し、この第２の補助表示のうちの１つに対するユーザーの選択操作を検出すると、その第２の補助表示に関連づけられた動作を実行することを特徴とする請求項１又は２に記載の方法。
【請求項１３】
請求項１〜１２に記載の方法を電子機器が実行するように構成するプログラム。
【請求項１４】
請求項１〜１２に記載の方法を実行するように構成する電子機器。
【発明の詳細な説明】
【技術分野】
【０００１】
本発明は、画面を指によってタッチすることで操作する電子機器においてユーザーインタフェースを提供する方法、プログラム及び電子機器に関する。
【背景技術】
【０００２】
電子機器（例、スマートフォン及びタブレット端末）で表示される動画や画像は、テキストと違って視覚的な伝達手段として有効な手法である。特に動画においては、視覚的な効果だけでなく、音を利用することでその視覚体験をよりリアルなものにすることができる。【０００３】
一般的に、電子機器上で表示される画像をタップすると別のページに遷移されることは、バナー広告と呼ばれる広告手法でも利用されている。また、主に写真などは対象の画像を一定時間タッチすることでその画像をコピーすることができる。動画においては、YouTube（登録商標）（http://www.youtube.com）に代表される動画サイト/アプリで電子機器で閲覧できるが、動画の操作やページ遷移は、オブジェクトタップ領域でのタップ操作によって一つのアクションが実行されるものが一般的である。【０００４】
一方で、電子機器における、日本語のテキスト入力では、タッチして水平方向に動かすフリック操作が使用されており、片手で操作できる快適な使用体験が提供されている。しかし、動画や画像を直接タッチして操作するというものはあるが、フリックで操作を行うというものは実現できておらず、世の中に存在しない。
【発明の概要】
【発明が解決しようとする課題】
【０００５】
従来の電子機器上で表示される動画や画像は、対象の動画や画像自体をタップする（動画上であれば再生ボタンや一時停止ボタン、画像上であればタップすることで別ページに遷移する等）、もしくは同一ページ上に表示されるオブジェクトをタップすることで端末側にアクションを実行させて操作するものがほとんどである。【０００６】
表示されている対象の動画や画像に対してタップして操作する技術だけでは、そのアクション行為の数が限られてしまう。つまり、表示されている動画や画像に対しての操作は単一のタップ領域に対して単一のアクションという１対１の関係であるため、複数のアクションを実行させるためには、動画上、並びに同一ページ内にアクションを実行するためのタップ可能なオブジェクトを複数設けることが求められる。タップ可能なオブジェクトが増えるほど、利用するユーザーにとっては情報量が増えて操作が難解になるだけでなく、見た目にも支障が出る可能性がある。また、特にスマートフォンにおいては、両手を使ってアクションを起こす必要性も出てくるためユーザーにとって操作しづらい状況が生まれる。【０００７】
本発明は、画面を指によってタッチすることで操作する電子機器において動画を再生するユーザーに優れたインタフェースを提供することを目的とする。
【課題を解決するための手段】
【０００８】
本発明は、電子機器上で表示される動画に対しての操作を、対象の動画自体をフリックすることで、限られたタッチ/タップ領域で、複数のアクションを実行可能にするものである。【０００９】
具体的には、特許請求の範囲に記載の構成を有する。電子機器で表示される動画や画像に直接タッチすると、複数のオブジェクトを同時に表示させる。複数のオブジェクトが表示された状態で、対象のオブジェクトにフリックすることで、それぞれのオブジェクトのアクションを端末内で実行することができるようになる。【００１０】
本明細書で使われる用語について簡略に説明し、本発明について具体的に説明する。【００１１】
明細書全体として「オブジェクト」は、ユーザーが選択できる対象を意味する。アイコン、ポップアップ画像、リンク、絵、テキスト、インデックス項目などがオブジェクトの一例である。「ページ」はコンテンツ、情報またはオブジェクトが含まれた空間を意味する。例えば、ウェプページ、コンテンツリスト、サムネイルリスト、写真の配列されたトレー、アイコンの配列されたトレーなどがページの一例である。【００１２】
「タッチ」とは、ユーザーが指やタッチ道具（スタイラス）を用いてタッチ対応画面に触れる動作を示す。【００１３】
「フリック操作」は、ユーザーが指やタッチ道具を用いて「タッチ」してから、タッチした指やタッチ道具を画面から離すことなく特定の指示をするためにタッチ面に対して水平方向に動かす操作をいう。したがって、単に素早く画面上で指を滑らす操作もフリック操作に含まれる。なお、「タッチ」した後に、水平方向に指やタッチ道具を動かさずに指が離れる動作は、「タップ」であって、「フリック操作」とは区別される。なお、「画面から離す」というのは、実際には、画面からの特定の範囲から離れることをいう。【００１４】
本発明によれば、電子機器で表示される動画や画像上でのフリック操作を可能にすることで、限られた単一のオブジェクトのタップ領域で複数のアクションを行うことができる。オブジェクトの情報量が減らせることで、見た目も整理されるだけでなく、ユーザーにとっては分かりやすく、より直感的な操作でアクションを実行することができるようになる。特にスマートフォンであれば、片手で操作できる快適な使用体験を提供できる。また、フリックした後に、画面タッチしている指やタッチ道具を離す時間によって、その効果を変えることもできるなど、単一のオブジェクトタップ領域で、より多くのアクションパターンを用意することが可能となる。
【図面の簡単な説明】
【００１５】
図１Ａは、本発明の一実施形態に係る電子機器の概要を示す正面図である。図１Ｂは、本発明の一実施形態に係る電子機器の通信の様子を示すブロック図である。図１Ｃは、動画再生アプリにおいて、動画を再生している状況を示す電子機器の正面図である。
図２Ａは、動画再生中にユーザーがタッチした時点における状況を示す電子機器の正面図である。図２Ｂは、ユーザーがタッチした後で指を横に動かした状況を示す電子機器の正面図である。
図３Ａ〜３Ｄ、図４Ｅ〜４Ｈ、図５Ｉ〜５Ｋは、本発明の実施形態に係るユーザーインタフェースを提供する方法のフローチャートである。
【発明を実施するための形態】
【００１６】
図１Ａは、本発明の一実施形態に係る電子機器の概要を示す正面図である。図１Ｂは、本発明の一実施形態に係る電子機器の通信の様子を示すブロック図である。電子機器１０は、タッチ対応画面２０、スピーカー３０、物理的ボタン５０を有する。本実施形態において、電子機器１０は、マイクロホン、電池８８、ＣＰＵ８３、メモリー８４、通信ユニット８６をさらに有する通信機能付きのユーザーが携帯可能な電子機器であり、電話機能も有するスマートフォンである。電池８８を有し小型であること（１ｋｇ以下であり好ましくは０．５ｋｇ以下）によってユーザーは電気機器１０を携行することが現実的に可能になる。電子機器１０は、通信機能を使用して動画配信を行っている外部サーバー７０にアクセスして画面２０上で動画を再生することができ、また、電子機器１０内部のメモリーに保存された動画ファイルの動画を画面２０上で再生することができる。通信ユニット８６は、Ｗ−ＣＤＭＡ、ＬＴＥ、ＷｉＦｉ（例、ＩＥＥＥ８０２．１１ｎ）などの通信規格に対応している。
【００１７】
電子機器１０では、ｉＯＳやＡｎｄｒｏｉｄのような携帯機器用のオペレーションシステムが動作しており、これの上で、又はこれの上で動作するウェブブラウザー等のアプリの上で、アプリケーションソフトウェア（アプリ）が動作する。図１Ａは、本発明に係るプログラムである動画再生アプリの初期画面を示している。この初期画面は、例えば、特定のアドレスにアクセスした際に表示される。画面２０上には、動画再生領域２２があり、再生ボタン４０、現在位置表示４４、プログレスバー４５、時間表示４６が、動画再生領域２２の内部ないし近傍に配置されている。この状況で、再生ボタン４０をタッチすると、動画の再生が開始する。あるいは、特定のアドレスにアクセスした際に動画の再生が自動的に開始される。
【００１８】
図１Ｃは、この動画再生アプリにおいて、動画を再生している状況を示す図である。動画の再生を開始してから１２秒が経過しており、プログレスバー４５上の現在位置表示４４が横に移動しており、図１Ａの再生ボタン４０は、表示されていない。通話用スピーカー３０ではない別のスピーカー（図示せず）からは動画の音が出ている。
【００１９】
図２Ａは、動画再生中にユーザーが指９０でタッチした時点における状況を示す図である。図２Ａでは、図１Ａにおいて再生ボタン４０が表示されていた画面中央の位置に一時停止ボタン４３が表示されており、その周りの上下左右に４つのフリック補助表示６０〜６３が表示されている。「フリック補助表示」は、ユーザーのフリック操作を補助するための表示のことであり、好ましくは、それぞれ枠を有し、内部には、関連づけられた動作を表すような文字、アイコン、画像、動画が表示されている。この枠は、略四角形であることが好ましいが、中央部分からの吹き出しを描いたような略五角形の吹き出し状であってもよい。後者の場合、ユーザーに対してフリック操作をより促進することができる。フリック補助表示６０は、「前の動画の再生」、フリック補助表示６２は、「次の動画の再生」に対応するものである。フリック補助表示６１の内部を図において描いていないが、実際には文字などが表示される。同時に表示されるフリック補助表示の数は、１以上８以下がよく、４つであることが好ましい。４つであると、上下左右に配置されることになって、操作誤りを防ぎつつ、多く表示することができるからである。また、２つにすると、操作誤りを更に減らすことができ、８つにすると、操作誤りを適度に防ぎつつ、多く表示することができる。また、下の位置のフリック補助表示はユーザーにとって見づらいので、上左右の３つ、上、左、右、左上、右上の５つ、８方向のうち下以外の７つも、好ましい。
【００２０】
図２Ａの状況から、ユーザーは指９０をタッチ面から離さずに（ないし所定範囲を超えて離さずに）、フリック補助表示６０〜６３に対応する水平方向の方向（この場合は、上、下、左、右）に指を滑らせ、ユーザーは指９０を画面から離す。これによって、ユーザーのフリック操作が完了する。なお、この際の指９０を滑らせる速さに応じて、速い場合は、フリック操作であって、遅い場合はフリック操作ではないというように、判断することができる。
【００２１】
図２Ｂは、ユーザーがタッチした後で指９０を水平方向右に動かした状況を示す図である。ユーザーは、図２Ａで指９０で画面をタッチした後で、タッチ面から離さずに水平方向右に滑らせて、その後で指９０を画面から離して、「右フリック」というフリック操作を完了させている。これによって、「右フリック」に対応するフリック補助表示６２が選択されたことになり、これに関連づけられた「次の動画の再生」という動作が実行されることとなる。
【００２２】
別の実施形態において、図２Ａでフリック補助表示６０〜６３が表示される段階で、フリック補助表示６０には、「再生関連動作」、フリック補助表示６２には、「アドレス関連動作」に対応する文字やアイコンが内部に表示され、「左フリック」を完了させた場合は、さらに、再生を停止させる動作、動画の再生位置を選択する動作、次の動画の再生に移る動作、前の動画の再生に移る動作、動画の先頭に移る動作などに対応する別の４つの「第２の補助表示」が表示される。第２の補助表示は、図２Ａのようにフリック補助表示６０〜６３と同じ位置、あるいは「フリック操作」に対応するようにずれた位置（この場合、左フリックなので左にずれた位置）に、表示される。前者の場合は、ユーザーに補助表示の位置の一貫性を与えて、操作をわかりやすくすることができる。一方、後者の場合、第２の補助表示を最初のフリック補助表示と区別しやすくなる。ユーザーは、第２の補助表示に対して、単にタッチして選択を完了する。あるいは、ユーザーは、前回のフリック操作時に、指９０を画面から離さずないし一旦離した後にすぐにタッチして、第２の補助表示に対して、二度目のフリック操作を完了することによって、選択を完了する。
【００２３】
図３Ａ〜４Ｋは、本発明の一実施形態に係るユーザーインタフェースを提供する方法のフローチャートである。以下、図３Ａ〜４Ｋのフローチャートに基づいて動作を説明する。図３ＡのＳ１０２で、ユーザーの操作などに基づいて、画面に動画を再生する。この後で、ユーザーが画面２０上の動画再生領域２２を指でタッチする。Ｓ１０４で、そのユーザーの指によるタッチを検出する。Ｓ１０６で、動画を引き続き再生させながら、画面２０上にフリック補助表示６０〜６３を表示する。図２Ａ、５の例においては、フリック補助表示６０、６２はそれぞれ、「前の動画の再生」、「次の動画の再生」に対応するものである。フリック補助表示６０〜６３は、アイコンであっても、文字列であっても、音を発生する領域であっても、これらの組み合わせであってもよい。フリック補助表示６０〜６３によって、ユーザーが操作内容を把握することが容易になる。
【００２４】
その後、ユーザーは、「次の動画の再生」の操作をしたいと欲し、図２Ｂに示すようにユーザーが指を画面２０から離さず（実際は特定の程度以上離さないという意味。以下、同じ。）に右に素早く動かして指を画面２０から離して、「右への素早いフリック」の操作を完了させる。Ｓ１０８で、このフリック操作の完了を検出する。
【００２５】
この時点でも、再生していた動画を引き続き再生させている。Ｓ１１０で、フリック補助表示６２に関連づけられた「次の動画の再生」という動作を実行する。Ｓ１０４〜Ｓ１０８において、動画を引き続き再生させており、これによって、ユーザーがどのフリック補助表示６０〜６３に対応する操作を行おうか考えている時間においても、動作再生をユーザーに提供することができ、もしユーザーが引き続き動画再生を鑑賞したいと欲した場合には、フリック操作を完了しないことによって、Ｓ１０４から進んだ動画再生位置にて動画を再生することができる。これによって、ユーザーの利便性が向上する。
【００２６】
図３Ｂは、図３Ａの方法と比べて、Ｓ１０４の後で動画再生を停止する場合の方法のフローチャートである。Ｓ１０４でタッチを検出した後、Ｓ１０７で、動画再生を停止して、フリック補助表示６０〜６３を表示する。この際、図３Ａの方法では、一時停止ボタン４３が表示されていたが、この位置に、再生ボタン４０が表示される。そして、Ｓ１０９で、引き続き動画再生を停止させながら、フリック操作の完了を検出する。
【００２７】
このように、動画再生を停止することによって、ユーザーがフリック補助表示６０〜６３に集中することが容易になり、また、ユーザーが上記の取り消し操作を行った場合においても、Ｓ１０４にてタッチした時点での動画再生位置から動画再生を再開することができるようになって、ユーザーにとって、見たい場面を逃すことを防ぐことができる。図３Ａの方法のように、タッチ（Ｓ１０４）の後に動画を引き続き再生する方法と、図３Ｂの方法のように、タッチ（Ｓ１０４）の後に動画再生を停止する方法とは、ユーザーによって設定できるようにするのが好ましい。
【００２８】
図３Ｃの方法では、タッチの後に、Ｓ２０２で、動画の再生速度を変化させる。具体的には、動画の再生速度を通常の再生速度よりも遅くすることが好ましい。これによって、ユーザーがフリック補助表示６０〜６３を見ながらどの操作をするかどうか考えることを容易にする。なお、Ｓ１０６の後にＳ２０２を行ってもよい。また、図３Ｃの方法では、タッチ（Ｓ１０４）の後に動画を引き続き再生するのではなく、図３Ｂの方法のように、タッチ（Ｓ１０４）の後に動画再生を停止してもよい。
【００２９】
図３Ｄの方法では、タッチの後に、Ｓ２０４で、動画領域の明るさを変化させる。具体的には、動画領域の明るさを暗くすることが好ましい。これによって、ユーザーに対してフリック補助表示６０〜６３に関連する操作をすることができる状態であることを容易に把握させることができるようになり、また、フリック補助表示６０〜６３を目立たせたり、フリック補助表示６０〜６３の操作を促す効果を発揮する。なお、Ｓ１０６の後にＳ２０４を行ってもよい。また、図３Ｄの方法では、タッチ（Ｓ１０４）の後に動画を引き続き再生するのではなく、図３Ｂの方法のように、タッチ（Ｓ１０４）の後に動画再生を停止してもよい。
【００３０】
図４Ｅの方法では、Ｓ１０４でタッチを検出した後に、Ｓ２０８で、早送りをさせる動作、巻き戻しをさせる動作に対応するフリック補助表示を表示する。そして、Ｓ１０８でフリック操作の完了を検出する。そして、ユーザーは、早送りをさせる動作、巻き戻しをさせる動作に対応するフリック補助表示をタッチしつづける。Ｓ２１０で、タッチの間、対応する早送りをさせる動作又は巻き戻しをさせる動作を実行し、その際、早送り又は巻き戻しに対応した動画を動画再生領域２２上に表示する。これによって、ユーザーは早送り又は巻き戻しの状況を把握することができるようになり、その時点においてタッチを止めたときの動画再生位置を把握することができるようになる。なお、図４Ｅの方法では、タッチ（Ｓ１０４）の後に動画を引き続き再生するのではなく、図３Ｂの方法のように、タッチ（Ｓ１０４）の後に動画再生を停止してもよい。
【００３１】
Ｓ１１０のフリック補助表示に関連づけられた動作には、動画の保存又は登録の動作が含まれていると好ましい。図４Ｆは、この場合の方法を示している。「動画の保存」とは、動画を電子機器１０のメモリー８４や外部サーバー上で保存する行為をいい、「動画の登録」とは、当該動画を再び呼び出すことが容易なように、お気に入り設定（ブックマーク設定）のような登録をすることをいう。
【００３２】
Ｓ１１０のフリック補助表示に関連づけられた動作には、再生を停止させる動作、動画の再生位置を選択する動作、次の動画の再生に移る動作、前の動画の再生に移る動作、及び動画の先頭に移る動作などの再生関連動作を含むのが好ましい。図４Ｇの方法では、この場合を示した。動画に関連するユーザーの操作は多数にわたり、これらを常に画面上に表示するのではなく、Ｓ１０４のタッチがあった際にのみ表示するようにした方が、画面を有効活用できるから有利である。
【００３３】
また、Ｓ１１０のフリック補助表示に関連づけられた動作には、特定のアドレスへとアクセスする動作、動画に関連づけられたアドレスをコピーする動作、及び動画に関連づけられたアドレスを使用して特定のプログラムの特定の機能を実行させる動作などのアドレス関連動作が含まれることが好ましい。動画に関連するユーザーの操作は、上記の再生関連動作に限られず、特に、携帯可能な通信機能付きの電子機器１０においては、アドレス関連操作を容易に行うことができるようにすることが非常に便利だからである。「特定のアドレスへとアクセスする動作」とは、例えば、ブラウザで特定のＵＲＬにＨＴＴＰプロトコルで引数付きでアクセスすることが含まれる。「動画に関連づけられたアドレスをコピーする」とは、動画に関連づけられたＵＲＬや連絡先などのアドレスを仮想的なクリップボードに入れて、貼り付け操作によってテキスト編集領域などで貼りつけることができるようにするオペレーションシステムのコピー機能を行うことをいう。「動画に関連づけられたアドレスを使用して特定のプログラムの特定の機能を実行させる動作」とは、動画に関連づけられたアドレスを特定のプログラムに情報として渡して特定の機能を実行させることをいう。例えば、現況登録サービスの評価操作（例、http://facebook.comが提供するfacebookでの「いいね（Ｌｉｋｅ）」操作）をする動作、投稿サービスでの自動的な投稿（例、http://twitter.comが提供するtwitterでのつぶやき）を発する動作などがある。
【００３４】
図４Ｈの方法では、Ｓ１０４でタッチを検出した後に、Ｓ２３０で、再生中の動画に関連する別の動画の代表画像をフリック補助表示に表示する。この代表画像は、サムネール画像とも呼ばれ、動画であっても静止画であってもよい。Ｓ２３２で、フリック補助表示内の代表画像に対応する別の動画を再生する動作を実行する。この方法によって、ユーザーが再生中の動画に関連する別の動画の提供を受けて、その中身の一部を知ることができ、その別の動画の再生を選択することが容易になる。
【００３５】
図５Ｉの方法では、Ｓ１０４でタッチを検出した後に、Ｓ２４０で、タッチ時ないしタッチ時の近傍の動画のスクリーンショット画像をメモリーに一時的に取得する。動画のスクリーンショット画像とは、動画の特定場面における静止画画像のことである。Ｓ２４２で、スクリーンショット画像を取得する動作に対応するフリック補助表示を表示する。Ｓ１０８でのフリック操作の完了の検出の後、Ｓ２４４で、スクリーンショット画像をメモリー８４に取得（保存）する動作を実行する。別の実施形態においては、Ｓ２４０はなく、Ｓ２４４でフリック操作の完了の検出時のスクリーンショット画像をメモリー８４に取得（保存）する動作を実行する。この方法によって、ユーザーが所望の動画再生位置の動画のスクリーンショットを取得することが容易になる。
【００３６】
図５Ｊの方法では、ユーザーが動画再生位置の選択を容易にできるようなユーザーインタフェースを提供する。Ｓ１０４でタッチを検出した後に、Ｓ２５０で、動画再生位置の選択に対応するフリック補助表示を表示する。動画再生位置とは動画内の始めから終わりまでの位置であって時間で表されるもののことである。Ｓ１０８でフリック操作の完了を検出した後、ユーザーは所定のムーブ動作をする。ムーブ動作とは、指を画面上で動かす動作である。このムーブ動作に応じて、プログレスバー４５上の現在位置表示４４を動かすようにすることが好ましい。これによって、全体におけるどの位置なのかを把握しやすくなる。また、動画再生領域全体又はそれよりも小さい現在位置表示４４に応じて移動する枠内に、その時点での画像を表示することが好ましい。これによって、画像でも位置を認識できるようになる。そして、Ｓ２５２で、検出したユーザーのムーブ動作に応じた動画の再生位置の選択を受け付ける動作を実行する。そして、Ｓ２５４で、受け付けた再生位置から動画を再生する。この方法によって、ユーザーが再生位置を選択することが容易になる。
【００３７】
図５Ｋの方法では、フリック補助表示を表示してフリック操作が行われた後に、新たに複数の第２の補助表示を表示して選択できるようにするようなユーザーインタフェースを提供する。Ｓ３０６では、複数のフリック補助表示のうちの一部（又は全部）において、動作群に対応するフリック補助表示を表示する。例えば、上記の再生関連動作やアドレス関連動作である。Ｓ１１０にて、フリック補助表示に対応する動作が実行された後に、Ｓ３０８にて、新たに複数の第２の補助表示を表示する。この様子は、例えば、図２Ａのようにである。あるいは、行われたフリック操作に対応するようにずらして第２の補助表示を表示することもできる。その後、ユーザーがタッチなどによって第２の補助表示の１つを選択し、Ｓ３１０にて、ユーザーによる第２の補助表示の選択操作を検出し、Ｓ３１２にて、選択された第２の補助表示に関連づけられた動作を実行する。この方法によって、入れ子のようなユーザーインタフェースを提供することができ、ユーザーに多くの選択肢を提供することができる。
【００３８】
なお、図面及び明細書において、いくつもの実施形態を示し、いくつもの特徴について説明したが、これらは組み合わさっていてもよく、これらの組み合わせも本明細書に組み込む。例えば、図３Ｂの方法のＳ１０４の後からＳ１１０の前において、動画を停止するが、これは図３Ｃ〜４Ｊの方法のＳ１０４の後からＳ１１０の前において「動画を引き続き再生する」ことと置き換えて、この区間において「動画を停止」させる。
【図１】
2016092864.tif 000003
【図２】
2016092864.tif 000004
【図３】
2016092864.tif 000005
【図４】
2016092864.tif 000006
【図５】
2016092864.tif 000007
【国際調査報告】
2016092864.tif 000008
2016092864.tif 000009
2016092864.tif 000010
2016092864.tif 000011